(57)【要約】【課題】より簡便かつ直感的な操作で画像形成装置に画像形成指示を出力する情報処理装置及びプログラムを提供する。【解決手段】情報処理装置は、携帯型の情報処理装置であって、前記情報処理装置の第１の動作を検出する動作判断処理部と、前記第１の動作に基づき、第１の画像形成情報を判断する操作判断処理部と、前記第１の画像形成情報に基づき、画像形成装置に送信するための画像形成指示を生成する画像形成指示部とを具備する。【選択図】図３
2017078882.tif 000002
【特許請求の範囲】
【請求項１】
携帯型の情報処理装置であって、
前記情報処理装置の第１の動作を検出する動作判断処理部と、
前記第１の動作に基づき、第１の画像形成情報を判断する操作判断処理部と、
前記第１の画像形成情報に基づき、画像形成装置に送信するための画像形成指示を生成する画像形成指示部と
を具備する情報処理装置。
【請求項２】
請求項１に記載の情報処理装置であって、
前記動作判断処理部は、正方向への前記第１の動作と、逆方向への前記第１の動作とを区別して検出し、
前記操作判断処理部は、前記正方向への第１の動作が検出されたときと、前記逆方向への第１の動作が検出されたときとで、異なる第１の画像形成情報を判断する
情報処理装置。
【請求項３】
請求項２に記載の情報処理装置であって、
前記動作判断処理部は、前記情報処理装置の前記第１の動作と異なる第２の動作を、さらに検出し、
前記操作判断処理部は、前記検出された第２の動作に基づき、前記第１の画像形成情報と異なる第２の画像形成情報を判断する
情報処理装置。
【請求項４】
請求項３に記載の情報処理装置であって、
前記動作判断処理部は、前記情報処理装置の前記第２の動作の回数を、さらに検出し、
前記操作判断処理部は、前記検出された第２の動作の回数に基づき、前記第２の画像形成情報としての画像形成部数を判断する
情報処理装置。
【請求項５】
請求項４に記載の情報処理装置であって、
前記操作判断処理部は、前記検出された第１の動作に基づき、前記画像形成指示を送信する対象である画像形成装置を特定する
情報処理装置。
【請求項６】
請求項５に記載の情報処理装置であって、
前記情報処理装置の前記第１及び第２の動作は、それぞれ、上下方向の成分を主に含む方向及び左右方向の成分を主に含む方向へのシェイク動作の何れか一方である
情報処理装置。
【請求項７】
請求項６に記載の情報処理装置であって、
前記操作判断処理部は、前記正方向及び逆方向への前記第１の動作が検出されたとき、それぞれ、前記第１の画像形成情報として、フルカラー及びモノクロの何れか一方を判断する
情報処理装置。
【請求項８】
携帯型の情報処理装置を、
前記情報処理装置の第１の動作を検出する動作判断処理部と、
前記第１の動作に基づき、第１の画像形成情報を判断する操作判断処理部と、
前記第１の画像形成情報に基づき、画像形成装置に送信するための画像形成指示を生成する画像形成指示部
として機能させるプログラム。
【発明の詳細な説明】
【技術分野】
【０００１】
本技術は、画像形成装置に画像形成指示を出力する情報処理装置及びプログラムに関する。
【背景技術】
【０００２】
複数の画像形成装置（例えば、Multifunction Peripheral。以下単に「ＭＦＰ」と称する。）が存在する環境において、任意の１つのＭＦＰに画像形成指示を出力することが可能な情報処理装置（典型的には、スマートフォンやタブレット型パーソナルコンピューター等の携帯情報端末）が知られている。
【０００３】
特許文献１によれば、携帯情報端末は、タッチパネルの画面上に、複数の画像形成装置の位置にそれぞれ対応付けられた方向を表示する。携帯情報端末は、タッチパネルの画面上での前記方向に沿ったフリック操作を検出したら、前記方向に対応する画像形成装置に対して、画像形成指示を送信する（例えば、請求項１参照）。
【０００４】
特許文献２によれば、携帯情報端末の画面に、自端末を中心として、周辺に存在する複数の端末を表す画像が、実際の位置関係を模した位置関係で表示される。ユーザーは携帯情報端末のタッチパネルを指で弾く（フリック操作）ことで、通信相手の端末を選択する。タッチパネル上で指を弾くような操作がなされた場合、携帯情報端末は、その操作により示される方向を認識すると同時に、その操作の強さ（弾く速さ）を求め、当該強さに応じた距離だけ自端末から離れている周辺端末を、データ送信先の相手先端末として特定する（例えば、００４９段落参照）。
【０００５】
ＭＦＰと通信可能な携帯情報端末は、特許文献３、特許文献４及び特許文献５にも記載される。
【先行技術文献】
【特許文献】
【０００６】
【特許文献１】特開２０１３−１６４７６１号公報
【特許文献２】特開２０１１−０９６１０２号公報
【特許文献３】特開２０１３−１５７８４８号公報
【特許文献４】特開２０１４−０３５７２３号公報
【特許文献５】特開２０１３−１８７５６５号公報
【発明の概要】
【発明が解決しようとする課題】
【０００７】
特許文献１においては、携帯情報端末から一直線上に複数のＭＦＰが並んでいる場合、携帯情報端末と複数のＭＦＰとの現実の位置関係と、ディスプレイに表示された複数のＭＦＰの位置関係とが異なるおそれがある。このため、ユーザーが現実のＭＦＰを目視しながら現実のＭＦＰの方向にフリック操作を行うと、携帯情報端末が、ユーザーが意図したＭＦＰとは異なるＭＦＰに画像形成指示を出力するおそれがある。すなわち、ユーザーにとっては、直感的な操作が阻害される。また、特許文献１においては、携帯情報端末は、フリック操作の回数に応じて、印刷ジョブの送信回数（印刷部数）等をＭＦＰに指示する（例えば、００１６段落参照）。部数が多数の場合等、タッチパネル上での操作ミスが誘発されたり、ユーザーの手指が疲労したりするおそれがある。
【０００８】
特許文献２においては、携帯情報端末を持つユーザーの背後に存在する端末とこの携帯情報端末とが通信する可能性は、実際には低いにも拘らず、ユーザーの背後に存在する複数の端末を表す画像までもが表示される。その結果、画面が必要以上に煩雑になり、結果的に、タッチパネル上での操作ミスが誘発されるおそれがある。
【０００９】
以上のような事情に鑑み、本技術の目的は、より簡便かつ直感的な操作で画像形成装置に画像形成指示を出力する情報処理装置を提供することにある。
【課題を解決するための手段】
【００１０】
上記目的を達成するため、本発明の一形態に係る情報処理装置は、
携帯型の情報処理装置であって、
前記情報処理装置の第１の動作を検出する動作判断処理部と、
前記第１の動作に基づき、第１の画像形成情報を判断する操作判断処理部と、
前記第１の画像形成情報に基づき、画像形成装置に送信するための画像形成指示を生成する画像形成指示部とを具備する。
【００１１】
本形態によれば、ユーザーにとっては、携帯情報端末を把持して第１の動作をすることで、第１の画像形成情報に基づく画像形成指示を、画像形成装置に送信することができる。すなわち、画像形成装置のタッチパネルを操作する必要なく、第１の画像形成情報を設定することができる。これにより、ユーザーにとっては、より簡便かつ直感的な操作で画像形成装置に画像形成指示を出力することができ、ユーザーにとっての利便性の向上を図ることができる。
【００１２】
前記動作判断処理部は、正方向への前記第１の動作と、逆方向への前記第１の動作とを区別して検出し、
前記操作判断処理部は、前記正方向への第１の動作が検出されたときと、前記逆方向への第１の動作が検出されたときとで、異なる第１の画像形成情報を判断する。
【００１３】
本形態によれば、ユーザーにとっては、携帯情報端末を把持して正方向又は逆方向への第１の動作をすることで、画像形成装置のタッチパネルを操作する必要なく、複数種類の第１の画像形成情報を、必要に応じて設定することができる。
【００１４】
前記動作判断処理部は、前記情報処理装置の前記第１の動作と異なる第２の動作を、さらに検出し、
前記操作判断処理部は、前記検出された第２の動作に基づき、前記第１の画像形成情報と異なる第２の画像形成情報を判断する。
【００１５】
本形態によれば、ユーザーにとっては、携帯情報端末を把持して第１の動作と異なる第２の動作をすることで、画像形成装置のタッチパネルを操作する必要なく、第１の画像形成情報と異なる第２の画像形成情報を、必要に応じて設定することができる。
【００１６】
前記動作判断処理部は、前記情報処理装置の前記第２の動作の回数を、さらに検出し、
前記操作判断処理部は、前記検出された第２の動作の回数に基づき、前記第２の画像形成情報としての画像形成部数を判断する。
【００１７】
本形態によれば、ユーザーにとっては、携帯情報端末を把持して所望の回数だけ第２の動作をすることで、画像形成装置のタッチパネルを操作する必要なく、画像形成部数を設定することができる。
【００１８】
前記操作判断処理部は、前記検出された第１の動作に基づき、前記画像形成指示を送信する対象である画像形成装置を特定する。
【００１９】
本形態によれば、ユーザーにとっては、画像形成装置のタッチパネルを操作する必要なく、画像形成装置を特定することができる。
【００２０】
前記情報処理装置の前記第１及び第２の動作は、それぞれ、上下方向の成分を主に含む方向及び左右方向の成分を主に含む方向へのシェイク動作の何れか一方である。
【００２１】
本形態によれば、ユーザーにとっては、携帯情報端末を把持してシェイクするという簡単な動作で、第１及び第２の画像形成情報を設定することができる。
【００２２】
前記操作判断処理部は、前記正方向及び逆方向への前記第１の動作が検出されたとき、それぞれ、前記第１の画像形成情報として、フルカラー及びモノクロの何れか一方を判断する。
【００２３】
本形態によれば、ユーザーにとっては、携帯情報端末を把持して正方向又は逆方向への第１の動作をすることで、画像形成装置のタッチパネルを操作する必要なく、第１の画像形成情報としてのフルカラー及びモノクロの色情報を、必要に応じて設定することができる。
【００２４】
上記目的を達成するため、本発明の一形態に係るプログラムは、
携帯型の情報処理装置を、
前記情報処理装置の第１の動作を検出する動作判断処理部と、
前記第１の動作に基づき、第１の画像形成情報を判断する操作判断処理部と、
前記第１の画像形成情報に基づき、画像形成装置に送信するための画像形成指示を生成する画像形成指示部として機能させる。
【発明の効果】
【００２５】
本技術によれば、より簡便かつ直感的な操作で画像形成装置に画像形成指示を出力する情報処理装置及び情報処理プログラムが提供される。
なお、ここに記載された効果は必ずしも限定されるものではなく、本開示中に記載されたいずれかの効果であってもよい。
【図面の簡単な説明】
【００２６】
【図１】本技術の一実施形態に係る情報処理システムを示す図である。
【図２】携帯情報端末のハードウェア構成を示すブロック図である。
【図３】携帯情報端末の機能的構成を示すブロック図である。
【図４】携帯情報端末の動作を示すフローチャートである。
【図５】画像形成部数の決定方法を示すフローチャートである。
【発明を実施するための形態】
【００２７】
以下、図面を参照しながら、本発明の実施形態を説明する。
【００２８】
（１．情報処理システムの概要）
図１は、本技術の一実施形態に係る情報処理システムを示す図である。
情報処理システム１は、情報処理装置１０と、１以上の画像形成装置２０とを有する。情報処理装置１０は、タッチパネルを有し、典型的にはスマートフォンやタブレット型パーソナルコンピューター等の携帯情報端末であり、以下「携帯情報端末１０」と称する。画像形成装置２０は、典型的にはＭＦＰ（Multifunction Peripheral）であり、以下「ＭＦＰ２０」と称する。
【００２９】
（２．携帯情報端末のハードウェア構成）
図２は、携帯情報端末のハードウェア構成を示すブロック図である。
携帯情報端末１０は、制御部１１と、制御部１１とバス１７を介して接続された表示部１２、通信制御部１３、位置検出部１４、操作部１５及び記憶部１６とを有する。
【００３０】
制御部１１は、ＣＰＵ（Central Processing Unit）等を含む。制御部１１は、ＲＡＭ（Random Access Memory）にロードされた情報処理プログラム等のプログラムを実行する。
【００３１】
記憶部１６は、ＲＯＭ（Read Only Memory）、ＲＡＭ等の半導体メモリーとを含む。ＲＯＭは、制御部１１が実行するプログラムやデータなどを固定的に記憶する。ＲＡＭには、ＲＯＭに記憶されたプログラムがロードされる。
【００３２】
表示部１２は、ＬＣＤ（Liquid Crystal Display）又は有機ＥＬ（Electroluminescence）ディスプレイ等を含む。表示部１２は、制御部１１から受け取った情報に基づいて演算処理を行い、生成した画像信号を画面に表示する。
【００３３】
操作部１５は、表示部１２に重畳配置されたタッチセンサーである。操作部１５は、ユーザーからの操作（フリック操作等）を検出して制御部１１に出力する。
【００３４】
通信制御部１３は、ＮＩＣ（Network Interface Card）やモデムなどの通信インターフェースであり、イーサネット（登録商標）などの規格に基づいて、１以上のＭＦＰ２０との通信を行う。
【００３５】
位置検出部１４は、ジャイロセンサー、加速度センサー等を含む。位置検出部１４は、携帯情報端末１０の位置や傾きを特定するための情報を取得して制御部１１に出力する。
【００３６】
（３．携帯情報端末の機能的構成）
図３は、携帯情報端末の機能的構成を示すブロック図である。
携帯情報端末１０の制御部１１は、情報処理プログラムを実行することにより、画像形成制御部１１０と、上下動作判断処理部１２１及び左右動作判断処理部１２２を有する動作判断処理部１２０と、操作判断処理部１３０と、画像形成指示部１４０として動作する。
【００３７】
画像形成制御部１１０は、ユーザーからの操作部１５に対する特定の操作を、画像形成ジョブの指定として検出する。
【００３８】
動作判断処理部１２０は、記憶部１６の位置情報ログを参照し、位置検出部１４が検出したデータに基づき、携帯情報端末１０のシェイク動作を検出する。
上下動作判断処理部１２１は、検出したシェイク動作が、上方向への上下シェイク動作か、下方向への上下シェイク動作か判断する。
左右動作判断処理部１２２は、検出したシェイク動作が、左右シェイク動作であるか否か、及び左右シェイク動作の回数を判断する。
【００３９】
操作判断処理部１３０は、下方向への上下シェイク動作の場合、フルカラー画像形成を行うものと判断し、上方向への上下シェイク動作の場合、モノクロ画像形成を行うものと判断する。
操作判断処理部１３０は、左右シェイク動作の回数をもとに、画像形成部数を判断する。
【００４０】
画像形成指示部１４０は、画像形成制御部１１０が検出した画像形成ジョブと、操作判断処理部１３０の色情報（フルカラー又はモノクロ）及び画像形成部数とに基づき、画像形成指示を生成する。画像形成指示部１４０は、生成した画像形成指示を、通信制御部１３を介してＭＦＰ２０に無線送信する。
【００４１】
（４．携帯情報端末の動作）
図４は、携帯情報端末の動作を示すフローチャートである。
前提として、携帯情報端末１０は、画像形成処理の実行主体となるＭＦＰ２０を特定する。例えば、携帯情報端末１０は、既存のペアリング技術によりＭＦＰ２０を特定する。
【００４２】
画像形成制御部１１０は、ユーザーからの操作部１５に対する特定の操作を、画像形成ジョブの指定として検出する。画像形成制御部１１０は、画像形成ジョブが存在することを、動作判断処理部１２０に通知する。さらに、画像形成制御部１１０は、指定された画像形成ジョブを、画像形成指示部１４０に供給する。
【００４３】
一方、位置検出部１４は、ジャイロセンサーや加速度センサーにより検出したデータ（携帯情報端末１０の動作の方向を示すデータ）を、位置情報ログとして記憶部１６に書き込む。動作判断処理部１２０は、画像形成制御部１１０から通知を受けると、記憶部１６の位置情報ログを参照し、位置検出部１４が検出したデータに基づき、携帯情報端末１０のシェイク動作を検出する（ステップＳ１０１でＹＥＳ）。
【００４４】
なお、「携帯情報端末１０のシェイク動作」とは、ユーザーが把持する携帯情報端末１０を閾値以上の速度で振る動作であり、上下方向（垂直方向）の成分を主に含む方向に振る動作（第１の動作）と、左右方向（水平方向）の成分を主に含む方向に振る動作（第２の動作）とを含む。以下、便宜的に、「上下方向（垂直方向）の成分を主に含む方向に振る動作」を「上下シェイク動作」と呼び、「左右方向（水平方向）の成分を主に含む方向に振る動作」を「左右シェイク動作」と呼ぶ。
【００４５】
動作判断処理部１２０の上下動作判断処理部１２１は、検出（ステップＳ１０１）したシェイク動作が、上から下に向かう成分を主に含む方向への上下シェイク動作か（ステップＳ１０２でＹＥＳ）、反対に、下から上に向かう成分を主に含む方向への上下シェイク動作か（ステップＳ１０２でＮＯ、ステップＳ１０３でＹＥＳ）、を判断する。上下動作判断処理部１２１は、判断結果を、操作判断処理部１３０に通知する。
【００４６】
なお、以下、便宜的に、上下シェイク動作との関係において、「下から上に向かう成分を主に含む方向」及び「上から下に向かう成分を主に含む方向」（それぞれ、正方向及び逆方向の何れか一方に相当）を、それぞれ、「上方向」及び「下方向」と呼ぶ。
【００４７】
操作判断処理部１３０は、通知された判断結果に基づき、画像形成の色情報（第１の画像形成情報）を判断する。具体的には、操作判断処理部１３０は、通知された判断結果が下方向への上下シェイク動作の場合（ステップＳ１０２でＹＥＳ）、フルカラー画像形成を行うものと判断する（ステップＳ１０４）。一方、操作判断処理部１３０は、通知された判断結果が上方向への上下シェイク動作の場合（ステップＳ１０２でＮＯ、ステップＳ１０３でＹＥＳ）、モノクロ画像形成を行うものと判断する（ステップＳ１０５）。操作判断処理部１３０は、判断した色情報（フルカラー又はモノクロ）を、画像形成指示部１４０に通知する。
【００４８】
一方、動作判断処理部１２０は、引き続き、記憶部１６の位置情報ログを参照し、位置検出部１４が検出したデータに基づき、携帯情報端末１０のシェイク動作を検出し続けている（ステップＳ１０６）。動作判断処理部１２０は、前回検出（ステップＳ１０１でＹＥＳ）後特定時間（例えば０．５秒）内に、新たにシェイク動作を検出する（ステップＳ１０６でＹＥＳ）。
【００４９】
動作判断処理部１２０の左右動作判断処理部１２２は、検出（ステップＳ１０６）したシェイク動作が、左右シェイク動作であるか否かを判断する（ステップＳ１０７）。左右動作判断処理部１２２は、左右シェイク動作を検出したと判断すると（ステップＳ１０７でＹＥＳ）、左右シェイク動作の回数を判断する（ステップＳ１０８）。左右動作判断処理部１２２は、左右シェイク動作の回数が複数（２以上）であると判断すると（ステップＳ１０８でＹＥＳ）、判断結果（回数）を、操作判断処理部１３０に通知する。なお、左右シェイク動作の一方向（右方向又は左方向）への動作を１回としてもよいし、左右シェイク動作の１往復の動作を１回としてもよく、いずれにするかはユーザーが初期設定しておくことができる。
【００５０】
操作判断処理部１３０は、通知された回数をもとに、画像形成部数（第２の画像形成情報）を判断する（ステップＳ１０９）。操作判断処理部１３０は、判断した画像形成部数を、画像形成指示部１４０に通知する。なお、画像形成部数の決定方法については、後でより詳細に説明する。
【００５１】
画像形成指示部１４０は、画像形成制御部１１０から取得した画像形成ジョブと、操作判断処理部１３０から通知された色情報（フルカラー又はモノクロ）及び画像形成部数とに基づき、画像形成指示を生成する（ステップＳ１１０）。画像形成指示部１４０は、生成した画像形成指示を、通信制御部１３を介してＭＦＰ２０に無線送信（例えば、Ｂｌｕｅｔｏｏｔｈ（登録商標）により）する。
【００５２】
一方、シェイク動作を新たに検出しない場合（ステップＳ１０６でＮＯ）、左右シェイク動作でない場合（ステップＳ１０７でＮＯ）、及び、左右シェイク動作の回数＝１の場合（ステップＳ１０８でＮＯ）、動作判断処理部１２０は、その旨を画像形成指示部１４０に通知する。
【００５３】
画像形成指示部１４０は、画像形成制御部１１０から取得した画像形成ジョブと、操作判断処理部１３０から通知された色情報（フルカラー又はモノクロ）とに基づき、画像形成部数＝１として、画像形成指示を生成する（ステップＳ１１０）。画像形成指示部１４０は、生成した画像形成指示を、通信制御部１３を介してＭＦＰ２０に無線送信（例えば、Ｂｌｕｅｔｏｏｔｈ（登録商標）により）する。
【００５４】
（５．画像形成部数の決定方法）
図５は、画像形成部数の決定方法を示すフローチャートである。
画像形成部数の決定方法について、より詳細に説明する。初期値として、画像形成部数（ｎ）は、「ｎ＝０」として設定されている。
【００５５】
動作判断処理部１２０は、上下シェイク動作を検出する（ステップＳ２０１でＹＥＳ。図４のステップＳ１０２又はＳ１０３でＹＥＳに相当）。動作判断処理部１２０は、上下シェイク動作を検出（ステップＳ２０１）後特定時間（例えば０．５秒）内に左右シェイク動作を１回検出する（ステップＳ２０２でＹＥＳ。図４のステップＳ１０７でＹＥＳに相当）と、左右シェイク動作を１回検出したことを、操作判断処理部１３０に通知する。さらに、動作判断処理部１２０は、左右シェイク動作を検出（ステップＳ２０２）後特定時間（例えば０．５秒）内に左右シェイク動作を検出する毎に、左右シェイク動作を１回検出したことを、操作判断処理部１３０に通知する。
【００５６】
操作判断処理部１３０は、左右シェイク動作を１回検出したことの通知を受けるたびに、画像形成部数（ｎ）を繰り返しインクリメント（＋１）する（ステップＳ２０３のループ）。操作判断処理部１３０は、前回通知後特定時間内に、左右シェイク動作を１回検出したことの通知を受けない場合、（ステップＳ２０２でＮＯ）、現時点での画像形成部数（ｎ）に１を加えた値（ｎ＋１）を、最終的な画像形成部数として決定する（ステップＳ２０４、図４のステップＳ１０９に相当）。
【００５７】
（６．まとめ）
一般的に、ユーザーがＭＦＰに画像形成指示を入力するとき、ユーザーは、ＭＦＰの表示部（例えば、タッチパネル）を参照しながら、操作部（同じく、タッチパネル）を操作する。表示画面には、色設定情報（フルカラー、モノクロ等）や部数情報等、様々な情報が表示されている。また、ＭＦＰに搭載されるタッチパネルのサイズには制限がある。タッチパネル自体のサイズが小さいうえ、色設定情報や部数情報等の様々な情報が通常一度に表示されるため、多くの場合、文字サイズが比較的小さく、また、タッチパネル上に構成されるＧＵＩ（Graphical User Interface）（操作ボタン）も比較的小さい。文字サイズが小さいと、近眼や老眼等、視力に不安のあるユーザーにとって不便である。また、ＧＵＩ（操作ボタン）が小さいと、手がかじかんだユーザーや、指の動きに不自由のあるユーザーにとって不便である。このようなユーザーにとっては、本人が意図する画像形成指示をＭＦＰに入力することが困難であったり、また、誤った画像形成指示をＭＦＰに入力してしまうおそれもある。ＭＦＰが誤った画像形成指示通りに画像形成ジョブを実行してしまうと、用紙の無駄遣い、料金の無駄遣い、部門管理情報の無駄遣い等の問題も現実として発生し得る。
【００５８】
これに対して、本実施形態によれば、携帯情報端末の下方向への上下シェイク動作（第１の動作）を検出すると、フルカラー画像形成（第１の画像形成情報）を判断し、上方向への上下シェイク動作（第１の動作）を検出すると、モノクロ画像形成（第１の画像形成情報）を判断する。また、左右シェイク動作（第２の動作）の回数をもとに、画像形成部数（第２の画像形成情報）を判断する。言い換えれば、ユーザーにとっては、携帯情報端末を把持して上下シェイク動作をすれば、フルカラー又はモノクロ画像形成をＭＦＰに指示することができ、左右シェイク動作をすれば、画像形成部数をＭＦＰに指示することができる。すなわち、ＭＦＰのタッチパネルを目で見たり指で操作したりする必要なく、色や部数を設定することができる。これにより、ユーザーにとっては、より簡便かつ直感的な操作で画像形成装置に画像形成指示を出力することができ、ユーザーにとっての利便性の向上を図ることができる。
【００５９】
（７．変形例）
上記実施形態では、携帯情報端末１０は、画像形成処理の実行主体となるＭＦＰ２０を、既存のペアリング技術により特定した。これに代えて、携帯情報端末１０は、上下シェイク動作時の携帯情報端末１０の方位に存在するＭＦＰ２０を、画像形成処理の実行主体として特定しても良い。ここで「携帯情報端末１０の方位」とは、携帯情報端末１０の画面の縦方向（画面を目視するユーザーにとっての縦方向）の中心線とともに携帯情報端末１０の仰角を形成する水平面内の半直線が、携帯情報端末１０（具体的には、携帯情報端末１０内の特定の点、例えば、携帯情報端末１０の画面の上辺又は底辺の中心）を頂点として延びる方向、を意味する。
【００６０】
上記実施形態では、下方向の上下シェイク動作によりフルカラー画像形成を判断し、上方向への上下シェイク動作によりモノクロ画像形成を判断した。反対に、上方向の上下シェイク動作によりフルカラー画像形成を判断し、下方向への上下シェイク動作によりモノクロ画像形成を判断してもよい。
【００６１】
上記実施形態では、上下シェイク動作により色情報を特定し、左右シェイク動作により部数を特定した。反対に、左右シェイク動作により色情報を特定し、上下シェイク動作により部数を特定してもよい。左右シェイク動作により色情報を特定する場合、左方向の左右シェイク動作によりフルカラー画像形成を判断し、右方向への左右シェイク動作によりモノクロ画像形成を判断してもよい。反対に、右方向の左右シェイク動作によりフルカラー画像形成を判断し、左方向への左右シェイク動作によりモノクロ画像形成を判断してもよい。
【符号の説明】
【００６２】
１０…携帯情報端末
２０…ＭＦＰ
１１０…画像形成制御部
１２０…動作判断処理部
１２１…上下動作判断処理部
１２２…左右動作判断処理部
１３０…操作判断処理部
１４０…画像形成指示部
【図１】
2017078882.tif 000003
【図２】
2017078882.tif 000004
【図３】
2017078882.tif 000005
【図４】
2017078882.tif 000006
【図５】
2017078882.tif 000007